(57)【要約】【課題】使用者の操作意欲を向上可能な携帯発光装置を提供する。【解決手段】外部の送信装置から無線で送信された発光有効信号を受信する受信部９と、発光部１と、発光部１を制御する制御基板５と、を備える携帯発光装置Ｌであって、制御基板５が、発光有効信号に基づいて設定した有効時間内に携帯発光装置Ｌに対して所定の操作が行われた場合、発光部１を所定の発光態様で発光させ、有効時間外に操作が行われた場合、発光部１を発光させないか又は所定の発光態様とは異なる発光態様で発光させるように構成された携帯発光装置Ｌ。【選択図】図１
2014116105.tif 000002
【特許請求の範囲】
【請求項１】
外部の送信装置から無線で送信された発光有効信号を受信する受信部と、
発光部と、
前記発光部を制御する制御部と、を備える携帯発光装置であって、
前記制御部が、前記発光有効信号に基づいて設定した有効時間内に前記携帯発光装置に対して所定の操作が行われた場合、前記発光部を所定の発光態様で発光させ、前記有効時間外に前記操作が行われた場合、前記発光部を発光させないか又は前記所定の発光態様とは異なる発光態様で発光させるように構成されたことを特徴とする携帯発光装置。
【発明の詳細な説明】
【技術分野】
【０００１】
本発明は、コンサート会場等で観客や出演者等が発光させるペンライト等の携帯発光装置に関し、特に、使用者の操作意欲を向上可能な携帯発光装置に関する。
【背景技術】
【０００２】
下記特許文献１には、信号表示灯が互いに赤外線光通信により同期信号を通信できる範囲に複数集まった状態で、集中制御装置から同期信号を発信することにより、その同期信号を受信した信号表示灯が、近くの信号表示灯に同期信号を赤外線通信により発信し、その同期信号を受信した信号表示灯が、さらに、近くの信号表示灯に同期信号を赤外線通信により発信し、ということを繰り返すことにより、最終的に全ての信号表示灯が、集中制御装置からの同期信号により、同時にあるいは少しずつ時間をずらせて、点灯、消灯または点滅したり、色変わりしたりするようにする技術が記載されている。
【先行技術文献】
【特許文献】
【０００３】
【特許文献１】特開２００５−６３２６５号公報
【発明の概要】
【発明が解決しようとする課題】
【０００４】
しかし、上記特許文献１の信号表示灯を、コンサートホール等で音楽に合わせて観客が振る携帯発光装置に適用した場合、観客が音楽に合わせて携帯発光装置を操作しているか否かにかかわらず、携帯発光装置同士が勝手に同期して発光することになり、観客にとっては達成感に欠け、携帯発光装置を操作する意欲を失わせてしまうという問題があった。
【０００５】
本発明は、上述の課題を解決するものであり、使用者の操作意欲を向上可能な携帯発光装置を提供することを目的とする。
【課題を解決するための手段】
【０００６】
本発明の携帯発光装置は、外部の送信装置から無線で送信された発光有効信号を受信する受信部と、発光部と、前記発光部を制御する制御部と、を備える携帯発光装置であって、前記制御部が、前記発光有効信号に基づいて設定した有効時間内に前記携帯発光装置に対して所定の操作が行われた場合、前記発光部を所定の発光態様で発光させ、前記有効時間外に前記操作が行われた場合、前記発光部を発光させないか又は前記所定の発光態様とは異なる発光態様で発光させるように構成されたことを特徴とする。
【発明の効果】
【０００７】
本発明によれば、例えば送信装置から音楽等に合わせて発光有効信号を送信すれば、観客等の使用者が音楽等に合ったタイミングで所定の操作を行ったときは、所定の発光態様で発光するが、音楽等に合っていないタイミングでその操作を行ったときは、発光しないか又は音楽等に合ったタイミングで所定の操作を行ったときの発光態様とは異なる発光態様で発光するため、音楽等に合わせて携帯発光装置を操作できたときの達成感を使用者に与え、携帯発光装置を操作する意欲を向上させることができる。
【図面の簡単な説明】
【０００８】
【図１】本発明の実施形態に係る携帯発光装置の斜視図である。
【図２】同携帯発光装置の底面図である。
【図３】同携帯発光装置の構成を示すブロック図である。
【図４】同携帯発光装置の発光条件を示す表である。
【図５】同携帯発光装置の発光タイミングを示すタイミングチャートである。
【図６】同携帯発光装置の動作を示すフローチャートである。
【図７】同携帯発光装置の動作を示すフローチャートである。
【図８】同携帯発光装置の動作を示すフローチャートである。
【図９】同携帯発光装置の発光の遅延を説明するための図である。
【発明を実施するための形態】
【０００９】
図１に示すように、実施形態の携帯発光装置Ｌは、人が手で把持して振ることが可能なように、約２０〜３０ｃｍの長さの棒状に形成されている。詳しくは、携帯発光装置Ｌは、下端が閉塞された略円筒形状をなす把持部２と、把持部２の上側に延設された略中空円柱形状の発光部１とを有し、発光部１は、上端が閉塞された円筒形状をなす合成樹脂製の外ケース３１を有している。なお、図１に示すように、携帯発光装置Ｌでは、長手方向に沿った方向を上下方向とし、把持部２側を下として説明する。把持部２の上端側部は、すり鉢状に拡径した拡径部２１とされ、外ケース３１は拡径部２１に螺着されている。
【００１０】
把持部２内には、電池４，４及び制御基板５が収納されている。図２に示すように、把持部２の下壁部２２には、電源スイッチ２３と操作ボタン２４ａ，２４ｂ，２４ｃ，２４ｄ（一括して言及するときは、「操作ボタン２４」と表記する。）が設けられ、電源スイッチ２３がＯＮされると、電池４，４から制御基板５に給電される。制御基板５は、制御部に相当し、記憶素子からなる記憶部を有して（図３参照）、記憶部には、複数の発光パターン、有効時間の長さ、及び、無効時間の長さが予め記憶され、また、現時点から所定長さの発光動作記憶時間（ここでは、３０秒間）だけ遡った間の発光動作を示す情報（以下、「発光動作情報」という。）が記憶される。発光動作情報には、後述する発光有効信号で示された発光パターンで発光したことを示す情報（以下、「発光情報」という。）、及び、無効時間が設定されたこと（すなわち、後述する発光無効フラグがＯＮになったこと）を示す情報（以下、「無効情報」という。）が含まれる。発光パターンとは、例えば、白色で３秒間高速点滅、赤色で１秒間発光といった、発光色、発光時間の長さ、点滅するか否か、点滅するときの点滅間隔等を示す情報である。制御基板５には、フルカラーＬＥＤからなる発光体６が接続されて、発光体６は、拡径部２１内に配置されたすり鉢状の反射板７の底部から上方に露出するように配置されている。把持部２の周壁には、発光操作部である発光ボタン８が外方に突出して設けられ、発光ボタン８は、図３に示すように制御基板５に接続され、操作されたとき、発光操作信号を制御基板５に入力するように構成されている。
【００１１】
各操作ボタン２４は、発光タイミング情報を入力するための入力部に相当し、図３に示すように、各操作ボタン２４は制御基板５に接続され、操作されたときに所定の信号を制御基板５に入力するように構成されている。制御基板５は、操作ボタン２４からこの所定の信号を受け取ったとき、どの操作ボタン２４が操作されたかを示す情報を、発光タイミング情報として、記憶部に記憶するように構成されている。なお、発光タイミング情報とは、発光タイミングを決定可能な情報をいい、本実施形態では、上述したようにどの操作ボタン２４が操作されたかを示す情報であるが、後述するように使用者が会場における座席の位置に応じた操作ボタン２４を操作することとすれば、会場における使用者の座席の位置を示す情報（後述するブロックのいずれに入っているかを示す情報）に該当する。
【００１２】
外ケース３１内には、上端が閉塞された円筒形状をなす合成樹脂製の内ケース３２が、軸方向を外ケース３１の軸方向と一致させて収容され、外ケース３１及び内ケース３２の周壁部３１ａ，３２ａは、いずれも透光性を有し、周壁部３１ａ，３２ａ間には、透光性を有する光拡散シート（図示せず）が、周壁部３２ａを取り巻くように設けられている。反射板７は、反射面を内ケース３２側に向けて、内ケース３２の下端開口部を閉塞するように配置され、発光体６は内ケース３２内の空間部３３に向かって発光するように構成されている。発光体６が発した光は、内ケース３２の周壁部３２ａを透過して光拡散シートにより拡散され、外ケース３１の周壁部３１ａを透過して外に放射される。したがって、発光体６が発光すると、発光部１は略全体が光っているように見える。発光部１は、外ケース３１、内ケース３２、光拡散シート、発光体６及び反射板７から構成され、発光体６は制御基板５に接続されていることから、発光部１は、図３に示すように制御基板５に接続されて、制御基板５により発光を制御される。
【００１３】
外ケース３１の上壁部３１ｂには、受信部９が設けられている。受信部９は、図３に示すように制御基板５に接続され、外部の送信装置Ｓ（図９参照）から無線で送信された発光有効信号、強制発光信号等の信号を受信して、制御基板５に入力するように構成されている。
【００１４】
内ケース３２の上壁部３２ｂには、振動検知部１０が設けられている。振動検知部１０は、加速度センサを備え、図３に示すように制御基板５に接続されて、加速度センサにより振動を検知したとき、振動検知信号を制御基板５に入力するように構成されている。
【００１５】
以上のように構成された携帯発光装置Ｌは、コンサート会場等に設けられた送信装置Ｓから発光有効信号を受信部９が受信して制御基板５に入力すると、制御基板５は、発光有効信号に基づいて所定長さの有効時間を設定し、その有効時間内に携帯発光装置Ｌに対して所定の操作（以下、「発光操作」という。）が行われた場合、発光部１を所定の発光態様（具体的には、その有効時間の設定の基となった発光有効信号が示す発光パターン）で発光させ、有効時間外に発光操作が行われた場合、発光部１を発光させないように構成されている。本実施形態では、発光操作は、携帯発光装置Ｌを振る操作、または、発光ボタン８を押す操作とする。但し、後述するように、強制発光信号を受信した場合には、有効時間外に発光操作が行われた場合であっても、制御基板５は発光部１を発光させる。
【００１６】
また、携帯発光装置Ｌは、有効時間外に発光操作が行われた場合、発光部１を発光させないのみならず、所定長さの無効時間を設定し、発光操作が有効時間内に行われた場合であっても、無効時間内に行われたときには、発光部１を発光させないように構成されている。すなわち、図４に示すように、発光有効フラグ（以下、「有効フラグ」と略す。）がＯＮであって、振動検知信号または発光ボタン８の発光操作信号がＯＮであり、かつ、発光無効フラグ（以下、「無効フラグ」と略す。）がＯＦＦのときは、発光部１は所定の発光態様で発光するが、それ以外のときは、後述する強制発光信号を受信した場合を除き、発光部１は発光しない。なお、有効フラグは、有効時間内はＯＮ、有効時間外はＯＦＦとなるフラグであり、無効フラグは、無効時間内はＯＮ、無効時間外はＯＦＦとなるフラグである。
【００１７】
以下、図５〜８に基づいて、携帯発光装置Ｌの動作について詳述する。
【００１８】
図６に示すように、携帯発光装置Ｌの制御基板５は、給電されている間、所定の短周期で通常発光処理（ステップＳ０１）と強制発光処理（Ｓ０２）とを繰り返す。
【００１９】
図７に示すように、通常発光処理においては、制御基板５は、有効フラグがＯＮか否かを判定し（Ｓ１０１）、ＯＮであれば有効時間終了か否かを判定し(Ｓ１０２)、終了と判定すれば有効フラグをＯＦＦにして(Ｓ１０３)、ステップＳ１０４に制御を進める。一方、ステップＳ１０１において、有効フラグがＯＦＦであると判定したとき、及び、ステップＳ１０２において、有効時間が終了していないと判定したときは、ステップＳ１０４に制御を進める。上述したように、有効フラグは、発光有効信号に基づいて設定された有効時間内はＯＮであり、有効時間外はＯＦＦとされるフラグである。また、有効時間は、発光有効信号の受信時から所定長さの時間とされ、この所定長さは、制御基板５の記憶部に記憶されている。制御基板５への給電開始時には、有効フラグ、無効フラグのいずれもＯＦＦとされているため、給電開始後の最初の通常発光処理においては、ステップＳ１０１でＮＯと判定され、ステップＳ１０４に制御が進む。
【００２０】
ステップＳ１０４では、制御基板５は、発光有効信号を受信したか否かを判定し、受信していれば有効フラグをＯＮし（Ｓ１０５）、有効時間の計測を開始し（Ｓ１０６）、ステップＳ１０７に制御を進める。一方、ステップＳ１０４で、発光有効信号を受信していないと判定した場合には、ステップＳ１０７に制御を進める。発光有効信号には、発光パターンを指定する発光パターン指定信号が含まれるとともに、必要に応じて、発光動作参照信号や遅延指示信号が含まれる。
【００２１】
ステップＳ１０７では、制御基板５は、無効フラグがＯＮか否かを判定し、ＯＮであれば無効時間終了か否かを判定し(Ｓ１０８)、終了と判定すれば無効フラグをＯＦＦにして(Ｓ１０９)、ステップＳ１１０に制御を進める。一方、ステップＳ１０７において、無効フラグがＯＦＦであると判定したとき、及び、ステップＳ１０８において、無効時間が終了していないと判定したときは、ステップＳ１１０に制御を進める。上述したように、無効フラグは、有効時間外に発光操作が行われた場合に設定される無効時間内はＯＮであり、無効時間外はＯＦＦとされるフラグである。また、無効時間は、有効時間外に発光操作が行われた時から所定長さの時間とされ、この所定長さは、制御基板５の記憶部に記憶されている。なお、給電開始後の最初の通常発光処理においては、ステップＳ１０７でＮＯと判定され、ステップＳ１１０に制御が進む。
【００２２】
ステップＳ１１０では、発光操作がなされたか否かを、振動検知信号または発光操作信号により判定する。具体的には両信号の少なくとも一方がＯＮであれば発光操作がなされたと判定し、両信号ともＯＦＦであれば発光操作がなされていないと判定する。そして、発光操作がなされたと判定したとき、有効フラグがＯＮか否かを判定し（Ｓ１１１）、ＯＮであれば、無効フラグがＯＮか否かを判定して（Ｓ１１２）、ＯＮでなければ、有効時間内であって無効時間内でないときに発光操作がなされたのであるから、発光処理を行って（Ｓ１１３）、通常発光処理から復帰する。
【００２３】
発光処理では、制御基板５は、有効時間を設定したときの基となった発光有効信号（ステップＳ１０４で受信した発光有効信号）に含まれる発光パターン指定信号によって指定された発光パターンを記憶部から取得して、制御基板５が有するＬＥＤ点灯制御回路に出力し、ＬＥＤ点灯制御回路はその発光パターンで発光体６を発光させる。また、ステップＳ１１３で発光処理を行ったとき、制御基板５は、発光動作情報として発光情報を記憶する。本実施形態では、発光情報はフラグ（以下、「発光フラグ」という。）とし、発光情報を記憶するとは発光フラグをＯＮすること、発光情報を消去するとは発光フラグをＯＦＦすることとする。そして、制御基板５は、発光情報を記憶した時点で発光情報の記憶時間の計測を開始し、発光情報の記憶時間が発光動作記憶時間（ここでは、３０秒）を経過する前に新たにステップＳ１１３の発光処理を行ったときは、発光情報の記憶時間の計測を最初からやり直し、発光情報の記憶時間が発光動作記憶時間を経過すると、発光情報を消去する。無効情報についても同様に、無効情報はフラグ（以下、「無効時間設定フラグ」という。）とし、無効情報を記憶した（すなわち、無効時間設定フラグをＯＮした）時点で無効情報の記憶時間の計測を開始し、無効情報の記憶時間が発光動作記憶時間を経過する前に新たに無効時間が設定されたときは、無効情報の記憶時間の計測を最初からやり直し、無効情報の記憶時間が発光動作記憶時間を経過すると、無効情報を消去する（すなわち、無効時間設定フラグをＯＦＦする）。すなわち、発光動作情報として、現時点から発光動作記憶時間だけ遡った間（本実施形態では、現時点から３０秒前までの間）に、発光したか否かの情報と、無効時間が設定されたか否かを示す情報とが記憶される。
【００２４】
制御基板５は、ステップＳ１１１で有効フラグがＯＮでないと判定したときは、有効時間外に発光操作が行われたのであるから、無効フラグをＯＮし（Ｓ１１４）、無効時間の計測を開始して（Ｓ１１５）、発光動作情報として無効情報を記憶し、通常発光処理から復帰する。
【００２５】
図８に示すように、強制発光処理においては、制御基板５は、強制発光信号を受信したか否かを判定し（Ｓ２０１）、受信していれば、その強制発光信号に含まれる発光パターン指定信号により指定された発光パターンに基づき発光体６を発光させる発光処理を行って（Ｓ２０２）、強制発光処理から復帰し、受信していなければ発光処理を行わずに、強制発光処理から復帰する。強制発光信号には、発光パターンを指定する発光パターン指定信号が含まれるとともに、必要に応じて、発光動作参照信号や遅延指示信号が含まれる。なお、ステップＳ２０２の発光処理では、発光操作に基づく発光ではないため、発光情報の記憶は行わない。
【００２６】
以上のように動作することにより、図５に示すように、携帯発光装置Ｌが発光有効信号を受信し、その発光有効信号に基づく有効時間内に、携帯発光装置Ｌを振ることにより又は発光ボタン８を操作することにより、制御基板５に振動検知信号又は発光操作信号の少なくとも一方が入力されたときには、図５の符号Ｈ１，Ｈ３，Ｈ５に示すように、発光体６による発光演出が行われる。
【００２７】
また、有効時間外に発光操作を行うことにより、図５の符号Ｆ１，Ｆ２に示すように制御基板５に振動検知信号又は発光操作信号の少なくとも一方が入力されたときには、図５の符号Ｍ１，Ｍ２に示すように、所定長さの無効時間が設定されて、無効時間中は、発光操作が行われることによって、図５の符号Ｆ３に示すように、振動検知信号又は発光操作信号の少なくとも一方が有効時間内に入力されても、発光演出が行われることはない。
【００２８】
但し、携帯発光装置Ｌは、有効時間外であっても、さらには無効時間内であっても、強制発光信号を受信したときには、発光操作の有無にかかわらず、図５の符号Ｈ２，Ｈ４に示すように、発光演出を行う。
【００２９】
また、発光有効信号又は強制発光信号が発光動作参照信号を含んでいるとき、例えば、図５に示す発光有効信号Ｙ２が発光動作参照信号を含んでいるとき、発光有効信号Ｙ２を受信した制御基板５は、記憶部に記憶している発光動作情報に基づいて発光動作の良否を判定し、その判定結果に応じた発光態様で発光部１を発光させる。詳しくは、発光動作を良と判定すれば、発光動作を良でないと判定したときとは異なる発光パターンで発光部１を発光させる。本実施形態では、発光動作情報として、発光情報が記憶され（すなわち、発光フラグがＯＮであり）、かつ、無効情報が記憶されていない（すなわち、無効時間設定フラグがＯＦＦである）とき、発光動作を良と判定して、良でないと判定したときの発光演出Ｈ５とは異なる発光演出Ｈ５’を実行する。発光演出Ｈ５’は、発光演出Ｈ５よりも時間が長く、発光色も七色に変化する等、発光演出Ｈ５より派手なものとする。なお、発光動作情報として、発光情報が記憶され、かつ、無効情報が記憶されていないときとは、現時点から３０秒前までの間において、発光操作が有効時間内に行われたことに基づく発光演出が１回以上行われ、かつ、有効時間外に発光操作を１度も行わなかった場合を示している。一方、発光動作情報として、発光情報が記憶されていない、又は、無効情報が記憶されている場合には、発光動作を良でないと判定し、発光演出Ｈ５を実行する。
【００３０】
次に、発光タイミングを遅延させる場合について説明する。使用者は操作ボタン２４を操作することにより、発光タイミングを決定するための発光タイミング情報を携帯発光装置Ｌに入力可能である。例えば、使用者は、コンサート会場での案内等に従い、自分の座席位置に応じた操作ボタン２４を操作する。例えば、コンサート会場において、座席が配置されたフロアを、左右方向に並ぶ５つのブロックに分け、最も右のブロック内の座席の観客（使用者）には、いずれの操作ボタン２４も操作しないように、右から２番目のブロック内の座席の観客には、操作ボタン２４ａのみを操作するように、中央のブロック内の座席の観客には、操作ボタン２４ｂのみを操作するように、左から２番目のブロック内の座席の観客には、操作ボタン２４ｃのみを操作するように、最も左のブロック内の座席の観客には、操作ボタン２４ｄのみを操作するように、案内し、観客はこの案内に従って操作を行うものとする。携帯発光装置Ｌの制御基板５は、操作ボタン２４が操作されると、どの操作ボタン２４が操作されたかを示す情報を、発光タイミング情報として記憶する。なお、同一の携帯発光装置Ｌにおいて複数回操作ボタン２４が操作されたときは、最後に操作された操作ボタン２４を示す情報を、記憶するようにしてもよい。また、携帯発光装置Ｌへの電源投入時、発光タイミング情報は初期値とされるものとする。
【００３１】
そして、携帯発光装置Ｌは、制御基板５が、発光有効信号を受信したとき、記憶部に記憶されている発光タイミング情報に基づいて発光タイミングを決定し、その発光タイミングで発光部１を所定の発光態様で発光させる。
【００３２】
詳しくは、制御基板５は、有効時間内に発光操作が行われたことに基づいて発光演出を行うとき、その有効時間設定の基となった発光有効信号が遅延指示信号を含んでいれば、発光タイミング情報を参照して、発光演出を遅延させる。具体的には、制御基板５は、発光タイミング情報を参照し、発光タイミング情報が初期値、すなわち、いずれの操作ボタン２４も操作されていないことを示す状態であれば、ＬＥＤ点灯制御回路に遅延信号を出力せず、あるいは、遅延時間０を示す遅延信号を出力し、発光タイミング情報として、どの操作ボタン２４が操作されかを示す情報が記憶されていれば、操作された操作ボタン２４に応じて遅延時間を決定し、その遅延時間を示す遅延信号をＬＥＤ点灯制御回路に出力する。例えば、操作ボタン２４ａが操作されたことを示していれば、遅延時間０．５秒、操作ボタン２４ｂが操作されたことを示していれば、遅延時間１．０秒、操作ボタン２４ｃが操作されたことを示していれば、遅延時間１．５秒、操作ボタン２４ｄが操作されたことを示していれば、遅延時間２．０秒を示す遅延信号を出力する。ＬＥＤ点灯制御回路は、遅延信号で示される遅延時間分、発光演出の開始が遅延するように、発光タイミングを制御する。これにより、例えば、図５において、発光有効信号Ｙ１が遅延指示信号を含んでいなかった場合、発光演出Ｈ３は符号Ｔ１に示すタイミングで開始されるが、発光有効信号Ｙ１が遅延指示信号を含んでいた場合、発光演出Ｈ３は符号Ｔ２に示すタイミングで開始されることとなる。
【００３３】
したがって、図９に示すように、送信装置Ｓから各携帯発光装置Ｌに遅延指示信号を含む発光有効信号が送信された場合、各携帯発光装置Ｌは、入力された発光タイミング情報に応じて、発光演出を遅延させることとなる。図９では、携帯発光装置Ｌのうち、操作ボタン２４の操作が無かったものを携帯発光装置Ｌ１、操作ボタン２４ａが操作されたものを携帯発光装置Ｌ２、操作ボタン２４ｂが操作されたものを携帯発光装置Ｌ３、操作ボタン２４ｃが操作されたものを携帯発光装置Ｌ４、操作ボタン２４ｄが操作されたものを携帯発光装置Ｌ５と区別しているが、上述した例のように遅延時間が定められるものとすれば、携帯発光装置Ｌ１は遅延なし、携帯発光装置Ｌ２は０．５秒、携帯発光装置Ｌ３は１．０秒、携帯発光装置Ｌ４は１．５秒、携帯発光装置Ｌ５は２．０秒、発光演出の開始を遅延させることとなる。したがって、左右方向等、ある方向に沿ってこれらの携帯発光装置Ｌが並んでいれば、発光演出が少しずつ遅延されて開始されるので、その方向に綺麗なウェーブ状の発光演出が行われることとなる。
【００３４】
以上説明したように、携帯発光装置Ｌによれば、送信装置Ｓから音楽等に合わせて発光有効信号を送信すれば、観客等の使用者が音楽等に合ったタイミングで発光操作を行えば所定の発光態様で発光するが、音楽等に合っていないタイミングで発光操作を行っても発光しないようにでき、音楽等に合わせて携帯発光装置Ｌを操作できたときの達成感を使用者に与え、使用者の操作意欲を向上させることができる。
【００３５】
なお、上記実施形態では、有効時間外に発光操作が行われた場合には、強制発光信号を受信した場合を除いて、制御基板５が発光部１を発光させないように構成したが、有効時間外に発光操作が行われた場合、制御基板５が、有効時間内に発光操作が行われた場合とは異なる発光態様で発光部１を発光させるように構成してもよい。すなわち、有効時間内に携帯発光装置Ｌに対して発光操作が行われた場合、制御基板５が発光部１を所定の発光態様（上記実施形態では、発光有効信号で示される発光パターン）で発光させるが、有効時間外に発光操作が行われた場合、制御基板５が発光部１を発光させないか、又は、有効時間内に発光操作が行われた場合の発光態様とは異なる発光態様で発光させるようにしてもよい。有効時間外に発光操作が行われた場合でも、発光部１を発光させることとすれば、発光操作を行ったのに発光しないことによって使用者が不満に思ったり故障ではないかとの懸念を抱いたりすることを防止できる。そして、有効時間内に発光操作が行われた場合の発光態様を、有効時間外に発光操作が行われた場合の発光態様よりも見た目に優れたものとすれば、使用者の操作意欲を向上可能である。
【００３６】
また、上記実施形態では、制御基板５が、有効時間外に発光操作が行われた場合に所定の長さの無効時間を設定し、有効時間内に発光操作が行われた場合であってもその発光操作が無効時間内に行われた場合（すなわち、有効時間内であって無効時間内に発光操作が行われた場合）には、発光部１を発光させないように構成している。これにより、例えば音楽等に合わないタイミングで使用者が発光操作を行った場合、しばらくの間発光しなくなるので、音楽等に合わせて操作を行う意欲をさらに向上させることができる。なお、有効時間内であって無効時間内に発光操作が行われた場合に、発光部１を発光させないように構成する代わりに、発光部１を、有効時間内であって無効時間外に発光操作が行われたときとは異なる発光態様で発光させることとしてもよい。
【００３７】
また、上記実施形態では、受信部９が、送信装置Ｓから無線で送信された強制発光信号を受信するように構成され、制御基板５が、強制発光信号を受信した場合には、発光操作の有無及び有効時間の内外にかかわらず、発光部１を発光させるように構成されている。これによれば、使用者の操作にかかわらず強制的に発光部１を発光させることができるので、会場全体で一体感溢れる発光演出が可能となる等、発光演出の興趣を盛り上げることができる。
【００３８】
また、上記実施形態では、携帯発光装置Ｌは、発光タイミング情報を入力するための入力部を備え、制御基板５が、入力された発光タイミング情報を記憶する記憶部を備えて、有効時間内に発光操作が行われた場合において発光部１を発光させるとき、記憶部に記憶されている発光タイミング情報に基づいて発光タイミングを決定し、その発光タイミングで発光部１を所定の発光態様で発光させるように構成されている。したがって、携帯発光装置Ｌでは、予め入力した発光タイミング情報により発光タイミングの制御が可能であり、発光演出の興趣を盛り上げることができる。
【００３９】
より具体的には、携帯発光装置Ｌは、制御基板５が、有効時間内に発光操作が行われた場合において発光部１を発光させるとき、有効時間を設定する基となった発光有効信号が遅延指示信号を含んでいれば、記憶部に記憶されている発光タイミング情報に基づいて決定した遅延時間分、発光演出の開始タイミングを、有効時間を設定する基となった発光有効信号が遅延指示信号を含んでいないときの発光演出の開始タイミングよりも遅延させるように構成している。したがって、例えば使用者の座席位置に応じて発光を遅延させれば、会場全体で綺麗なウェーブ状の発光演出が可能となる等、発光演出の興趣を盛り上げることができる。
【００４０】
なお、発光タイミング情報とは、発光タイミングを決定可能な情報であればよく、上記実施形態では、会場における使用者の座席の位置を示す情報としているが、例えば遅延時間を直接示す情報としてもよい。
【００４１】
また、携帯発光装置Ｌは、発光部１の発光動作情報を記憶部に記憶し、制御基板５が、有効時間内に発光操作が行われた場合において発光部１を発光させるとき、有効時間を設定する基となった発光有効信号が発光動作参照信号を含んでいれば、記憶部に記憶されている発光動作情報に基づいて発光動作の良否を判定し、その判定結果に応じた発光態様で発光部１を発光させる。したがって、例えば使用者が音楽等に合ったタイミングで操作を行うことにより発光動作が良と判断された場合、発光動作が良でないと判断された場合とは異なる特別の発光態様で発光を行うことができるので、使用者に満足感や優越感を抱かせることができ、さらに操作意欲を向上できる。また、強制発光信号が発光動作参照信号を含んでいるときも、同様に、記憶部に記憶されている発光動作情報に基づいて発光動作の良否を判定し、その判定結果に応じた発光態様で発光部１を発光させるようにしてもよい。
【００４２】
なお、発光動作情報として、現時点から発光動作記憶時間だけ遡った間に行われた、発光有効信号の受信に基づく発光演出の回数、及び、無効時間の設定回数を記憶しておき、その発光演出の回数が所定回数以上であって、無効時間の設定回数が所定回数以下の場合には、発光動作を良と判定する等、発光動作の良否を判定するための条件や、記憶する発光動作情報は種々の変更が可能である。
【符号の説明】
【００４３】
１  発光部
５  制御基板（制御部）
９  受信部
Ｌ  携帯発光装置
Ｓ  送信装置
【図１】
2014116105.tif 000003
【図２】
2014116105.tif 000004
【図３】
2014116105.tif 000005
【図４】
2014116105.tif 000006
【図５】
2014116105.tif 000007
【図６】
2014116105.tif 000008
【図７】
2014116105.tif 000009
【図８】
2014116105.tif 000010
【図９】
2014116105.tif 000011